(57)【特許請求の範囲】
【請求項１】
粉（Ｐ）を収納する粉体収納部（２）と液体（Ｌ）を収納する液体収納部（３）が設けられた本体（４）と、本体（４）の粉体収納部（２）にネジ着されて本体（４）を閉鎖するキャップ（５）とからなり、上記粉体収納部（２）と液体収納部（３）は連通しており、該連通部分（８）には両収納部（２）、（３）を分割する仕切り膜（１０）を設け、上記キャップ（５）内には仕切り膜（１０）を破る破断部（１１）が設けられ、キャップ（５）を締めつけることにより破断部（１１）が仕切り膜（１０）を破り、上記粉体収納部（２）を連通させて、粉（Ｐ）と液体（Ｌ）を混ぜ、飲料を調合し、しかも本体（４）の粉体収納部（２）にネジ着されるキャップ（５）には同キャップ（５）を締めつけた際に粉体収納部（２）の上面（２ｄ）とキャップ（５）の内面側（５ａ）に当接して気密状態にするパッキン（１２）を設けまた、上記本体（４）に対しキャップ（５）の途中ネジ着状態において、キャップ（５）の下部外周（５ｃ）と粉体収納部（２）の外周（２ｂ）に被着するシール部材（７）を設けまた、上記シール部材（７）には取り外し用の案内部（７ａ）を設け、また上記下方へ突出する破断部（１１）を中心から外して偏心位置に設けたことを特徴とする飲料容器。
【発明の詳細な説明】
【０００１】
【発明の属する技術分野】
本願発明は、臼で挽いた微粉末状の粉茶やコーヒー等の粉末と液体（水等）を別々に収納しておき、飲む直前に粉末と液体を混合して飲料を調整する飲料容器に関する。
【０００２】
【従来の技術】
従来、お茶あるいはコーヒー等の飲料は、工場で既に決まった味に調合された飲料を大量生産され一定量を缶やビン、ペットボトル等の所定の容器に詰め、密閉されて出荷されて、自動販売機やコンビニエンスストアー、スーパーマーケット、小売店、デパート等を介して消費者に販売されている。
【０００３】
【発明が解決しようとする課題】
しかしながら、容器に詰め、密閉された飲料が工場を出荷して消費者にわたるまでに時間がかかるため、長期保存のための施しをしたり、経時変化することで、工場にてあらかじめ調整されたお茶あるいはコーヒー等の飲料は、味や風味が悪く（無く）なってしまうと言う問題があった。
【０００４】
【課題を解決するための手段】
本願発明は時間がたってもお茶やコーヒーの味を変えることなく美味しく飲むことが出来る飲料容器であり、粉（Ｐ）を収納する粉体収納部（２）と液体（Ｌ）を収納する液体収納部（３）が設けられた本体（４）と、本体（４）の粉体収納部（２）にネジ着されて本体（４）を閉鎖するキャップ（５）とからなり、上記粉体収納部（２）と液体収納部（３）は連通しており、該連通部分（８）には両収納部（２）、（３）を分割する仕切り膜（１０）を設け、上記キャップ（５）内には仕切り膜（１０）を破る破断部（１１）が設けられ、キャップ（５）を締めつけることにより破断部（１１）が仕切り膜（１０）を破り、上記粉体収納部（２）を連通させて、粉（Ｐ）と液体（Ｌ）を混ぜ、飲料を調合し、しかも本体（４）の粉体収納部（２）にネジ着されるキャップ（５）には同キャップ（５）を締めつけた際に粉体収納部（２）の上面（２ｄ）とキャップ（５）の内面側（５ａ）に当接して気密状態にするパッキン（１２）を設けまた、上記本体（４）に対しキャップ（５）の途中ネジ着状態において、キャップ（５）の下部外周（５ｃ）と粉体収納部（２）の外周（２ｂ）に被着するシール部材（７）を設けまた、上記シール部材（７）には取り外し用の案内部（７ａ）を設け、また上記下方へ突出する破断部（１１）を中心から外して偏心位置に設けたことを特徴とする飲料容器を提供するものである。
【０００７】
【発明の実施の形態】
以下、本願発明の飲料容器について図１および図２に基づき説明する。１は本願発明の飲料容器であり、粉体収納部２と液体収納部３とからなる本体４と、本体４を開閉自在に閉鎖するためのキャップ５と、粉体収納部２と液体収納部３とを区分けする仕切り部６と、キャップ５と本体４との間の気密を保つためのシール部材７とから構成される。
【０００８】
上記本体４はペット樹脂を使用してブロー成形によりボトル形状に成形されたもので、粉体収納部２と液体収納部３とから構成される。粉体収納部２は液体収納部３の上面側３ａに位置し、両収納部２、３は連通している。上記粉体収納部２の内面側２ａには、お茶を臼によって挽いた粉末茶（粉茶）や顆粒状となった飲料の素（例えばコーヒーのようなもの）等の粉Ｐが収納され外周面２ｂにはキャップ５をネジ着する雄ネジ２ｃが刻設されている。
【０００９】
上記粉体収納部２と液体収納部３の連通部分８には両収納部２、３を分割する仕切り部６が設けられている。該仕切り部６は連通部分８に段部９が設けられ、その上面側９ａに薄膜の仕切り膜１０が接着固定されている。該仕切り膜１０はキャップ５に設けられた破断部１１によって破られ、粉体収納部２に収納された粉Ｐが液体収納部３内にばらまかれ、収納された液体（例えば水や炭酸水など）Ｌと混ざりあって飲料が調合される。
【００１０】
なお、上記仕切り膜１０は飲料調合時に破断部１１で破くことができるものならどんな材料（フィルム）を使用することができ、合成樹脂のフィルム（例えばポリエチレンのフィルムやポリエチレンテレフタレート（ＰＥＴ）のフィルム等）や、ラミネート（合成樹脂のフィルムにアルミニウム箔又は紙をはり合わせたもの）、アルミニウム箔、さらには撥水性を有する紙類等が使用できる。
【００１１】
５は粉体収納部２に刻設した雄ネジ２ｃにネジ着するキャップであり、通常は粉体収納部２の雄ネジ２ｃの約半分程度まで締めている（途中ネジ着状態）。キャップ５の内面側５ａには上記雄ネジ２ｃにネジ着する雌ネジ５ｂ並びにキャップ５を締め付けることによって仕切り膜１０を突き破る破断部１１と、キャップ５を締め付けて仕切り膜１０を破った状態で粉体収納部２の上面２ｄに接して、液体収納部３に収納された液体Ｌが漏れないようにするパッキン１２が設けられている。
【００１２】
上記破断部１１は、キャップ５の内面側５ａにその先端１１aを下方に向かって突出し、またキャップに中心位置から外して偏心した位置に形成され、飲料を調合する場合には同部材１１は仕切り膜１０を大きく押し破るようになっている。また、同部材１１はキャップ５と一体に成形しても良いし、別に成形し、後に接着するようにしても良い。
【００１３】
７はキャップ５と本体４の気密を保つと共に飲料調合前にキャップ５の締付けを阻止するストッパーも兼用しているシール部材であり、キャップ５の下部外周５ｃと露出している粉体収納部２の外周２ｂを覆っている。
【００１４】
上記シール部材７はキャップ５と本体４（粉体収納部２）に密着するもの（例えば熱収縮チューブやビニール等）によって構成されている。また、シール部材７には案内部７ａが設けられており、飲料を調合する場合に上記案内部７ａに沿ってシール部材７を破り、本体４から取り外すようになっている。なお上記案内部７ａは飲料調合時にシール部材７を本体から取り外し易くするものであればよく、例えばミシン目や切れ目、溝を採用することができる
【００１５】
次に本願発明の飲料容器１における飲料の調合について説明する。飲料容器１において飲料を調合する場合、キャップ５と本体４との気密を保つシール部材７に形成された案内部７ａに沿ってシール部材７を破り、取り外す。次にキャップ５を締めこんでいく。この時。キャップ５内に設けた偏心位置にある破断部１１の先端１１aが仕切り部６の仕切り膜１０に接触し、更にキャップ５を締めこむと破断部１１がキャップの締め込みに伴って円弧状に動き、仕切り膜１０を押し続け、仕切り膜１０が大きく押し破られる。
【００１６】
仕切り膜１０が破断部１１によって破られると、粉体収納部２から粉Ｐが液体収納部３内に入っていき、収納された液体Ｌと混ざって、飲料が調合される。さらに上記キャップ５を締めこんだ状態で飲料容器１を振り、液体収納部３内において粉Ｐと液体Ｌを混ぜることで、飲料の調合が終了する。このとき、飲料容器１内の液体Ｌはキャップ５内に設けられたパッキン１２がキャップ５と粉体収納部２の上面２ｄとの間で接触しているため、飲料容器１は密閉された状態となり、液体Ｌが飲料容器１外に漏れることが無い。
【００１７】
その後、キャップ５を緩めて本体４から外す（取り除く）ことによって、液体収納部３内で調合された飲料が連通部分８並びに粉体収納部２を通って、調合された飲料を飲むことができる。
【００１９】
【発明の効果】
以上のように、本願発明の飲料容器は粉と液体をそれぞれ粉体収納部、液体収納部に収納したため、飲料が長期保存のための施しをしたり、経時変化すること無く、味や風味が良い状態のまま維持でき、飲料を楽しめる。
【００２０】
また、キャップと本体との気密を保つと共に通常時にキャップが閉まらないようにするストッパーも兼用しているシール部材を設けたため、不用意にキャップが動かないようになっていると共に粉体収納部が密閉状態（気密状態）となっているため、収納した粉が長期保存のための施しや経時変化しにくくなり、飲料を調合しても味や風味を損なうことが無い。
【００２１】
また、キャップの内面と粉体収納部の上面の間にパッキンを設けたため、キャップを締めこみ、破断部によって仕切り部を破って、粉体収納部と液体収納部を連通させて飲料を調合し、さらに飲料容器を振って粉と液体を混ぜる場合に、本体（粉体収納部）とキャップの間から液体（飲料）が漏れるのを防止できる。
【００２２】
また、キャップの内面に設けた下方へ突出形成した破断部１１の位置を中心から外して偏心位置に設けてキャップの緩め時に該破断部により仕切り膜を大きく破るようにしたため、粉を確実に液体中に落下せしめることができる。
【図面の簡単な説明】
【図１】本願発明の飲料容器の要部を示す断面図。
【図２】本願発明の飲料容器の要部を示す外観図。
【符号の説明】
１ 飲料容器
２ 粉体収納部
２ａ  内面側
２ｂ  外周面
２ｃ  雄ネジ
２ｄ  上面
３ 液体収納部
４ 本体
５ キャップ
５ａ  内面側
５ｂ  雌ネジ
５ｃ  下部外周
６ 仕切り部
７ シール部材
８ 連通部分
９ 段部
９ａ  上面側
１０ 仕切り膜
１１ 破断部
１１ａ  先端
１２ パッキン
Ｌ 液体
Ｐ 粉
【図１】
0004920835.tif 000002
【図２】
0004920835.tif 000003